(57)【要約】【課題】良好な画質の画像を再生表示し、その再生画像と同じ画質の撮影画像を得ることができる撮影装置を提供する。【解決手段】本撮影前の予備撮影により得られた撮影画像をＬＣＤパネル上に表示して撮影者に撮影画像がどのようなものあるかを確認してもらう（ステップＳ４０６）。撮影者が自分の思ったとおりの画質ではないと判定して十字キーの操作により画質を調整したときにはその調整内容に応じた画像をリアルタイムに表示する（ステップＳ４０６〜Ｓ４０９）。ここで自分の思い通りの画質が得られたと判定されＯＫボタンが押されると、その画像パラメータを撮像手段に設定する（ステップＳ４０３）。その後の撮影操作に応じて撮影手段に撮影画像を生成させる（ステップＳ４０４）。【選択図】  図４
2009182830.tif 000002
【特許請求の範囲】
【請求項１】
撮像素子上に被写体を結像させ撮影操作に応じて撮影画像を生成する撮影装置において、
撮影操作に応じて生成された撮影画像信号に基づく撮影画像を表示する画像表示手段と、
前記画像表示手段に表示された撮影画像の画質を調整する画質調整手段と、
前記撮影操作に応じて、該撮影操作の時点で前記撮像素子上に結像している被写体の撮影画像であって前記画像調整手段により調整された画質の撮影画像を表わす撮影画像信号を生成する画像生成手段とを備えたことを特徴とする撮影装置。
【請求項２】
撮像素子上に被写体を結像させ撮影操作に応じて撮影画像を生成する撮影装置における撮影方法において、
撮影操作に応じて生成された撮影画像信号に基づく撮影画像を表示する画像表示ステップと、
表示された撮影画像の画質を操作に応じて調整する画質調整ステップと、
撮影操作に応じて、該撮影操作の時点で前記撮像素子上に結像している被写体の撮影画像であって前記画像調整手段により調整された画質の撮影画像を表わす撮影画像信号を生成する画像生成ステップとを有することを特徴とする撮影方法。
【発明の詳細な説明】
【技術分野】
【０００１】
本発明は、撮像素子上に被写体を結像させ撮影操作に応じて撮影画像を生成する撮影装置、その撮影装置における撮影方法に関する。
【背景技術】
【０００２】
最近のデジタルカメラにおいては、露出やピント等の撮影条件の他に、ホワイトバランス、γ補正値、色調等といった画質の調整を行なうことができるものがある。このようにホワイトバランス、γ補正値、色調等の画質の調整を行なうことができると、より現実に近い画質の被写体像を得ることも、現実の被写体の画質とはやや異なる趣のある画質の被写体像を得ることもできる。
【０００３】
しかし、上記のようなデジタルカメラで撮影を行なう撮影者の多くは、自分の思い通りの画質の画像を得るために、操作により画質を調整しては撮影を行なって表示画面上で自分の思い通りの画質の画像が得られるまで何度も撮影を繰り返し行なわなければならない。このため、必要のない画像が無駄に何枚も得られてしまうという問題が出てくる。
【０００４】
そこで撮影者の中には例えば特許文献１等の技術を使って既撮影画像を表示画面上に再生表示してその再生画像の画質の調整を行なってその画質調整の操作内容を次回の撮影に反映させることができれば、何回も撮影を行なわずに済むのではないかと思う人達がいる。
【０００５】
しかし、デジタルカメラにおいては再生装置と撮影装置とが別々の構成になっているため、再生装置で画質の調整を行なって画像パラメータを内部の再生装置に設定したとしてもその画像パラメータは撮影装置には設定されない。つまり、再生表示した撮影画像の画質を表示画面上で調整しても調整した内容は撮影には全く反映されない。
【特許文献１】特開２００５−１７５８６３号公報
【発明の開示】
【発明が解決しようとする課題】
【０００６】
本発明は、上記欠点を解決し、良好な画質の画像を再生表示し、その再生画像と同じ画質の撮影画像を得ることができる撮影装置およびその撮影装置における撮影方法を提供することを目的とするものである。
【課題を解決するための手段】
【０００７】
上記目的を達成する本発明の撮影装置は、撮像素子上に被写体を結像させ撮影操作に応じて撮影画像を生成する撮影装置において、
撮影操作に応じて生成された撮影画像信号に基づく撮影画像を表示する画像表示手段と、
上記画像表示手段に表示された撮影画像の画質を調整する画質調整手段と、
上記撮影操作に応じて、その撮影操作の時点で上記撮像素子上に結像している被写体の撮影画像であって、上記画像調整手段により調整された画質の撮影画像を表わす撮影画像信号を生成する画像生成手段とを備えたことを特徴とする。
【０００８】
上記本発明の撮影装置によれば、上記画像表示手段によって撮影画像が表示され、表示された撮影画像の画質が上記画質調整手段によって調整されると、次の撮影においてはその表示画面上の画像の画質が調整されたとおりの撮影画像を表わす画像信号が上記画像生成手段によって生成される。
【０００９】
そうすると表示画面上に再生されている撮影画像の画質を調整することにより次の撮影における撮影画像の画質を事前に定めることが可能となる。
【００１０】
こうして撮影前に表示画面上で次の撮影の画質を定めることができると、いままであれば所望の画質を得るために何度も繰り返し行なっていた同じ被写体の撮影をわずか２回の撮影にまで省略するということも、また撮影前に適当なものを撮影して自分の思った画質に調整しておいてその画質でいろいろな被写体の撮影を行なうということもできる。
【００１１】
上記目的を達成する本発明の撮影方法は、
撮像素子上に被写体を結像させ撮影操作に応じて撮影画像を生成する撮影装置における撮影方法において、
撮影操作に応じて生成された撮影画像信号に基づく撮影画像を表示する画像表示ステップと、
表示された撮影画像の画質を操作に応じて調整する画質調整ステップと、
撮影操作に応じて、該撮影操作の時点で前記撮像素子上に結像している被写体の撮影画像であって、前記画像調整手段により調整された画質の撮影画像を表わす撮影画像信号を生成する画像生成ステップとを有することを特徴とする。
【００１２】
例えば上記本発明の撮影方法を実現する手順が示されたプログラムが撮影装置内部に配備されると、そのプログラムの手順にしたがって、撮影装置は、上記画像表示ステップで撮影操作に応じて生成された撮影画像信号に基づく撮影画像を表示画面上に表示し、上記画質調整ステップで撮影者がその撮影画像を見ながら画質を変更したことを受けて変更された画質の内容を内部設定して上記画像生成ステップで変更された画質の内容どおりの撮影画像を撮影者の撮影操作に応じて生成することとなる。
【００１３】
このため、撮影者は、撮影画像の画質を表示画面上で調整して表示画面上で所望の画質の画像を得た後、撮影を行なうことでその表示画面上で調整したとおりの画質の撮影画像を得ることができる。
【発明の効果】
【００１４】
以上、説明したように、良好な画質の画像を再生表示し、その再生画像と同じ画質の撮影画像を得ることができる撮影装置およびその撮影装置における撮影方法が実現する。
【発明を実施するための最良の形態】
【００１５】
以下、図を参照して本発明の実施の形態を説明する。
【００１６】
図１は、本発明の撮影装置の一実施形態であるデジタルカメラ１００を斜め上前方から見た外観斜視図である。
【００１７】
図１の本実施形態のデジタルカメラ１００は、デジタル一眼レフカメラであって、露出やピント、さらには被写体の画質についての変更を操作により自在に行なうことができるものである。上記課題を達成するために本実施形態のデジタルカメラ１００では、撮影画像がＬＣＤパネル上に再生表示されているときにその撮影画像の撮影条件である例えばホワイトバランス値の変更やγ補正値に対応するＴＯＮＥ値の変更や色調に対応するＣＯＬＯＲ値の変更などがＬＣＤパネル１１７Ａ上で操作により行なわれたときには、その撮影画像の再生表示中に調整された撮影条件の変更内容で次の撮影を行なうことができるようにしている。詳細は後述する。
【００１８】
図１〜図３を参照して、まず本実施形態のデジタルカメラ１００の構成を説明する。
【００１９】
図１に示すデジタルカメラ１００は、被写体光を捉えて画像データを生成するものであり、このデジタルカメラ１００の前面には、光学ズームレンズを内蔵したズーム鏡胴１１１と、撮影に同期してフラッシュ光を発するフラッシュ発光窓１１２と、暗所など低コントラスト時のオートフォーカス（ＡＦ）精度を向上させるためのＡＦ補助光ランプ１１３等が備えられている。
【００２０】
また、このデジタルカメラ１００の上面には、電源スイッチ１１４と、レリーズボタン１１５と、レリーズボタン１１５の周囲に回転式のモードダイヤル１１６が備えられている。モードダイヤル１１６はそのダイヤルを回すことにより静止画モードと動画モードとを交互に切り換えることができるようになっている。
【００２１】
また、詳細は後述するが、本実施形態のデジタルカメラ１００では、撮影条件である例えばホワイトバランス（以降ＷＢという）やＴＯＮＥやＣＯＬＯＲ等の画像パラメータの設定変更を操作により行なうことができる。これらの画像パラメータの設定変更は、背面側のメニュー／ＯＫボタン（後述する）と後述する十字キーのキー操作等により行なわれる。なお、ここでいうＴＯＮＥは、いわゆるγ補正値を指し、ＣＯＬＯＲは色調を指す。
【００２２】
さらに本実施形態においては、撮影者が自分の思ったとおりの画質の画像を得ようとして従来のように何回も繰り返し撮影を行なわなくても済む様に、前述した様に本撮影直前の撮影画像をＬＣＤパネル１１７Ａ上に表示するとともにそのＬＣＤパネル１１７Ａ上の撮影画像に重ねてＷＢ，ＴＯＮＥ，ＣＯＬＯＲの値を変更する設定画面を表示して十字キーおよびＯＫボタンの操作によりその撮影画像の画質がＬＣＤパネル上で変更されたときには、その変更された内容が撮影に反映されるように変更後の画像パラメータがデジタルカメラ内部の撮影手段（後述する）に自動的に設定される構成になっている。
【００２３】
図２は、図１に示すデジタルカメラの背面を示す外観図である。
【００２４】
図２に示すデジタルカメラ１００の背面には、ＬＣＤパネル１１７Ａ、ファインダ１２４、ＭＥＮＵ／ＯＫボタン１１８、ＤＩＳＰ／ＢＡＣＫボタン１１９、フォトモードボタン１２０、再生ボタン１２１、十字キー１２２、ズームボタン１２３などが備えられている。
【００２５】
ＬＣＤ１１７Ａは、撮影レンズにより被写体光を捉えて生成された画像データからなる画像、および種々の設定時における情報を表示するものである。
【００２６】
ＭＥＮＵ／ＯＫボタン１１８は、撮影時や再生時における各種のメニューをＬＣＤパネル１１７Ａ上に表示させたり、表示されたメニューの中から所望のメニューを選択し決定するためのボタンである。ここで前述した様に、本実施形態のデジタルカメラには画像パラメータの設定画面が配備されており、ＭＥＮＵ／ＯＫボタン１１８と十字キー１２２の操作によってＷＢ、ＴＯＮＥ、ＣＯＬＯＲ等の画像パラメータが設定されるとそれらの画像パラメータが内部設定されて撮影が行なわれる。さらに、撮影が行なわれた後に既撮影画像がＬＣＤパネル１１７Ａ上に表示されているときにはその既撮影画像に重ねてＷＢ，ＴＯＮＥ，ＣＯＬＯＲの調整値を変更するための設定画面が表示され、十字キー１２２の操作によりそれらの調整値を変更することが可能な構成になっている。この十字キー１２２の操作によりＷＢ，ＴＯＮＥ，ＣＯＬＯＲなどが調整されて自分の思い通りの画質の撮影画像がＬＣＤパネル１１７Ａ上に表示されたときにＯＫボタン１１８が押されると撮影手段１３０１に画像パラメータが設定され、さらにレリーズボタン１１５が押されると、ＯＫボタン１１８が押されたときの撮影条件で撮影が行なわれる構成になっている。
【００２７】
ＤＩＳＰ／ＢＡＣＫボタン１１９は、ＬＣＤパネル１１７Ａ上に表示された画面の状態を切り換えたり、ＭＥＮＵ／ＯＫボタン１１８等による操作を１つ前の状態に戻したり操作を取り消したりするためのボタンである。
【００２８】
フォトモードボタン１２０は、ピクセル数，感度，画質，プリント枚数等を設定するためのボタンである。
【００２９】
再生ボタン１２１は、メモリカードなどの記録媒体に記録された撮影画像を、ＬＣＤ１１７に再生表示するためのボタンである。
【００３０】
十字キー１２２は、様々なモードでその役割が変化し、例えば静止画モードではマクロボタンやフラッシュキーであったり、再生モードではＬＣＤパネル１１７Ａに表示したサムネイル等の選択キーであったりする。この最後の選択キーとして十字キーが機能するときには、前述したようにＷＢ等の調整値の変更用の操作キーとしても機能する。またマクロキーは、マクロ撮影を行なうか否かを切り換えるためのキースイッチであり、一度押下するとマクロ撮影モードとなり、再度押下するとマクロ撮影モードが解除される。フラッシュキーは、押下する毎に、オートフラッシュ、赤目低減フラッシュ、強制フラッシュ、フラッシュ禁止、スローシャッタでのフラッシュ、およびオートフラッシュというようにフラッシュの状態を順繰りに切り換えるためのキースイッチである。
【００３１】
ズームボタン１２３は、右方に向けて押下することにより望遠側（テレ側）にズームインするとともに左方に向けて押下することにより広角側（ワイド側）にズームアウトするためのボタンである。
【００３２】
図３は、図１、図２のデジタルカメラの内部構成を示す構成ブロック図である。
【００３３】
図３には、本発明に関係する構成要素を抜粋して示してある。レンズ１１１０と撮像手段１３０１とＬＣＤ１１７以外は、マイクロコンピュータ１３０で構成されているとする。この撮像手段１３０１とＬＣＤ１１７とはマイクロコンピュータ１３０にバスによって接続されており、マイクロコンピュータはそのバスを介して双方を制御することが可能な構成になっている。
【００３４】
まず、図３を参照して内部構成を説明する。
【００３５】
ズーム鏡胴１１１（図１参照）内には光学ズームレンズであるレンズ１１１０が備えられており、そのレンズ１１１０によって撮像手段１３０１内の撮像素子（不図示）に被写体像が結像される。この撮像手段１３０１には、他にホワイトバランス調整部やγ補正部等が配備されており、図２に示すメニュー／ＯＫボタン１１８と十字キー１２２の操作により設定された画像パラメータがマイクロコンピュータ１３０内に構成されている画質調整手段１３０５に供給されその画像パラメータがさらにマイクロコンピュータ１３０内に構成されている撮影パラメータ設定手段１３０６に供給される。そしてその撮影パラメータ設定手段１３０６によってその画像パラメータが上記撮影手段１３０１内の上記ホワイトバランス調整部やγ補正部や感度調整部等に設定される。この画質調整手段１３０５は、例えばマイクロコンピュータ１３０の内部に配備されているレジスタ等によって構成され、撮影パラメータ設定手段１３０６は、例えばマイクロコンピュータ１３０内のＣＰＵによって構成される。
【００３６】
ここで撮影操作が行なわれるとその撮影操作に応じて撮像手段１３０１で撮影画像の画像信号が生成され、１フレーム分の画像信号が次段のフレームバッファ１３０２に供給される。そのフレームバッファ１３０２に１フレーム分の画像信号が供給された後、１フレーム分の画像信号が再生画像変換手段１３０３に供給され、撮像手段１３０１内の撮像素子で生成された画像信号が表示用の画像信号に変換される。
【００３７】
ここで、撮像手段１３０１で生成されフレームバッファ１３０２に供給される１フレーム分の画像信号は、Ｒ，Ｇ，Ｂの各色信号からなる画像信号であり、その画像信号が再生画像変換手段１３０３によって表示用の画像信号に変換されるので、以降の説明においては撮像手段１３０１で生成されたＲ，Ｇ，Ｂの各色信号からなる画像信号のことをＣＣＤ−ＲＡＷデータといい、後述する再生画像変換手段１３０３内の変換行列により生成された後の表示用の画像データのことをＹＣｒＣｂデータということにする。
【００３８】
こうして、この再生画像変換手段１３０３で生成されたＹＣｒＣｂ信号が表示制御手段１３０４に供給され表示制御手段１３０４の制御の下に撮影画像がＬＣＤ１１７が備えるＬＣＤパネル１１７Ａ上に表示される。
【００３９】
ここで、本実施形態ではＬＣＤ１１７のＬＣＤパネル１１７Ａ上に撮影により得られた撮影画像を表示して、撮影者がそのＬＣＤパネル１１７Ａ上の画像を見て画質が自分の思い通りの画質ではないと感じた場合には、操作によりＬＣＤパネル１１７Ａ上の被写体の画質の調整を行なってその調整した画質で撮影を行なうことができるようにしている。
【００４０】
この例では、ＬＣＤパネル１１７Ａ上に表示されているときに十字キーの操作により変更されたＷＢ，ＴＯＮＥ，ＣＯＬＯＲの調整の程度を表わす画像パラメータの変更内容が再生画像変換手段１３０４に供給され表示用の画像信号であるＹＣｒＣｂ信号が変更されると、表示制御手段１３０４の制御の下にＬＣＤパネル１１７Ａ上にＷＢ，ＴＯＮＥ，ＣＯＬＯＲが変更された被写体がリアルタイムに変更表示される構成になっている。
【００４１】
この変更表示が行なわれているときにＯＫボタン１１８の操作により調整の終了がマイクロコンピュータ１３０に通知されると、撮像手段１３０１内のホワイトバランス調整部やγ補正部や感度調整部等にＯＫボタン１１８が操作されたときの画像パラメータがセットされ、さらにレリーズボタンが押されるとその画像パラメータで撮影が行なわれる。
【００４２】
こうしてＬＣＤパネル１１７Ａ上で画質の変更が行なわれて自分の思い通りの画質が得られたことを確認した撮影者によってＯＫボタンが押され、さらにレリーズボタン１１５が押されると、ＬＣＤパネル１１７Ａ上で調整したとおりの画質の撮影画像が撮像手段１３０２によって生成されることとなる。
【００４３】
つまり本実施形態のデジタルカメラにおいては、例えば撮影直前に予備撮影を行なって撮影画像を得てその撮影画像のＷＢ，ＴＯＮＥ，ＣＯＬＯＲ等の画質を調整した後、本撮影を行なうことで所望の画質の撮影を行なうことができるということになる。
【００４４】
ここで、上記実施形態では、表示用の画像データとして変換行列によりＲＧＢ信号からＹＣｒＣｂ画像データに変換された後の画像データが用いられているが、再生画像変換手段手段１３０３では、画像パラメータのセット状況に応じてＣＣＤＲＡＷデータのままの現像を行なうことが可能である。このＣＣＤＲＡＷデータに基づく画像が表示されると、被写体の画質がより忠実に表示される。このため、撮影者がＬＣＤパネル１１７Ａ上の画像を見ながら画質の調整を行なうときには、このＣＣＤＲＡＷデータに基づく画像をＬＣＤパネル１１７Ａ上に表示した方が良い場合もある。
【００４５】
図４は、マイクロコンピュータ１３０が実行する、本発明にいう撮影方法を示す手順が示されたプログラムのフローチャートである。この図４には、上記ＣＣＤＲＡＷデータに基づく画像の表示を行なう構成にした場合の処理例が示されている。
【００４６】
図４を参照してマイクロコンピュータ１３０が実行する撮影処理を説明する。図４には、画質に影響を与える画像パラメータとしてＷＢ，ＴＯＮＥ，ＣＯＬＯＲの３種類の画像パラメータが示されている。ＷＢには、ＡＵＴＯ、電球、蛍光灯、晴れ、日陰の５種類の設定項目があり、ＴＯＮＥおよびＣＯＬＯＲには、それぞれ、ＨＡＲＤ、ＳＴＤ，ＯＲＧの３種類の設定項目があり、それらのうちのずれかが選択されるということが示されている。
【００４７】
ステップＳ４０１で撮像手段１３０１の初期化を実施して撮像手段内のホワイトバランス調整部に「ＡＵＴＯ」をセットし、ガンマ補正部に「ＳＴＤ」をセットし、再生画像変換手段に「ＳＴＤ」をそれぞれセットする。この初期処理後、ステップＳ４０２で今度はメニューボタン１１８や十字キー１２２の操作によって設定されたＷＢ，ＴＯＮＥ，ＣＯＬＯＲの値をレジスタから読み出して次のステップＳ４０３で、撮像手段１０３１にそれらの値を画像パメラータとしてセットする。
【００４８】
次のステップＳ４０４で撮影操作に応じて撮像手段１３０１で撮像処理を実施して次のステップＳ４０５で撮影画像をマイクロコンピュータ１３０が備えるフレームバッファ１３０２内に保持する。次のステップＳ４０６で表示制御手段１３０４の制御の下にそのＬＣＤパネル１１７Ａ上に撮影画像の画像表示を行なう。次のステップＳ４０７で画質の調整が完了したかどうかを判定する。このステップＳ４０７で画質の調整がＯＫボタン１１８が操作されていないことから終了していないと判定したときにはＮＯ側へ進んでステップＳ４０８で十字キー１２２の操作に応じた画像パラメータを画質調整手段１３０５に保持するとともにその画質調整手段１３０５内の画像パラメータを再生画像変換手段１３０３に供給する。次のステップＳ４０８で再生画像変換手段１３０３で生成されたＣＣＤＲＡＷ画像データを表示制御手段１３０４に供給し、表示制御手段１３０４の制御の下にＬＣＤパネル１１７Ａ上に、調整された画質を持つＣＣＤＲＡＷ画像データに基づく画像を表示する。以降ステップＳ４０７でＯＫボタン１１８が操作されたことが検出されない限り、ステップＳ４０６からステップＳ４０９の処理を繰り返す。
【００４９】
そしてステップＳ４０７で、ＯＫボタン１１８が操作されたと判定したときには、ステップＳ４１０へ進んでＯＫボタンが操作されたときの画像パラメータを画質調整手段１３０５に保持してステップＳ４０２に戻ってステップＳ４０４でレリーズボタン１１５により撮影操作が行なわれたときにはその画像パラメータを撮像手段１３０１にセットして撮影画像を得る。このときにも撮像画像をフレームバッファ１３０２に保持してＬＣＤパネル上にその撮影画像を表示する。以降、ステップＳ４０６以降の処理を繰り返す。なおこの例では、ステップＳ４０５でＬＣＤパネル１１７Ａ上にそのフレームバッファ１３０２内の撮影画像を表示するとともに、‘この撮影画像を保存しますか？’というメッセージを表示してＯＫボタン１１８が操作されたときに記録メディアに撮影画像を記録する構成にしてある。この構成にしておくと、ＬＣＤパネル１１７Ａ上で画質の調整した後の撮影により得られた撮影画像の画質が今ひとつであると感じたときには、表示画面上の画像の画質の再調整を行なうことができる。
【００５０】
以上説明した様にマイクローコンピュータ１３０が図４のフローの処理を実行すると、マイクロコンピュータ１３０は、ＬＣＤパネル１１７Ａ上の画像の画質が撮影者の思い通りの画質になったと感じたときのＯＫボタン１１８、さらにレリーズボタン１１５の押操作を受けてＬＣＤパネル１１７Ａ上で調整された画質どおりの画質の撮影画像を撮影手段１３０１に生成させることができる。
【００５１】
すなわち、良好な画質の画像を再生表示し、その再生画像と同じ画質の撮影画像を得ることができる撮影装置およびその撮影装置における撮影方法が実現する。
【図面の簡単な説明】
【００５２】
【図１】本発明の撮影装置の一実施形態であるデジタルカメラを斜め上前方から見た外観斜視図である。
【図２】図１に示すデジタルカメラの背面を示す外観図である。
【図３】図１、図２のデジタルカメラの内部構成を示す構成ブロック図である。
【図４】マイクロコンピュータ１３０が実行する、本発明にいう撮影方法を示す手順が示されたプログラムのフローチャートである。
【符号の説明】
【００５３】
１００  デジタルカメラ
１１１    ズーム鏡胴
１１１０    レンズ
１１２    フラッシュ発光窓
１１３    ＡＦ補助光ランプ
１１４    電源スイッチ
１１５    レリーズボタン
１１６    撮影モードダイヤル
１１７    ＬＣＤ
１１７Ａ    ＬＣＤパネル
１１８    ＭＥＮＵ／ＯＫボタン
１１９    ＤＩＳＰ／ＢＡＣＫボタン
１２０    フォトモードボタン
１２２    十字キー  
１２３    ズームボタン  
１２４    ファインダ１２４
１３０    マイクロコンピュータ
１３０１    撮像手段
１３０２    フレームバッファ
１３０３    再生画像変換手段
１３０４    表示制御手段
１３０５    画質調整手段
１３０６    撮影パラメータ設定手段
【図１】
2009182830.tif 000003
【図２】
2009182830.tif 000004
【図３】
2009182830.tif 000005
【図４】
2009182830.tif 000006